(57)【要約】【課題】樹脂成形品からの宝石の脱落に抵抗性があり、また、製造工程数が少ない宝石をインサートした樹脂成形品の製造方法を得る。【解決手段】  以下の工程からなる樹脂成形品の製造方法である。（イ）Ａ金型２１の内表面２２とＢ金型３１の内表面３２により形成されるキャビティー３６内に宝石１０を配置する工程であって、宝石１０のテーブル面１１をＡ金型の内表面２２に接触した状態に配置する工程。（ロ）Ａ金型とＢ金型を型締めし、キャビティー内に溶融樹脂を注入する工程。（ハ）溶融樹脂が固化した後に、Ａ金型とＢ金型を型開きし、樹脂成形品を取り出す工程。【選択図】図１
2010005967.tif 000002
【特許請求の範囲】
【請求項１】
以下の工程からなる樹脂成形品の製造方法。
イ  Ａ金型の内表面とＢ金型の内表面により形成されるキャビティー内に宝石を配置する工程であって、前記宝石のテーブル面をＡ金型の内表面に接触した状態に配置する工程
ロ  Ａ金型とＢ金型を型締めし、前記キャビティー内に溶融樹脂を注入する工程
ハ  前記溶融樹脂が固化した後に、Ａ金型とＢ金型を型開きし、樹脂成形品を取り出す工程
【請求項２】
請求項１に記載した樹脂成形品の製造方法において、
Ａ金型は前記内表面に凹部を有し、前記凹部は前記宝石の高さの２０％以内である前記宝石の上部部分が嵌まり込む形状であり、
宝石を配置する前記イの工程は、前記宝石の上部部分を前記凹部に嵌合状態に配置する工程であることを特徴とする樹脂成形品の製造方法。
【請求項３】
請求項１乃至２いずれかに記載した樹脂成形品の製造方法において、
前記イの工程の前に、下記ニの工程が含まれ、
ニ  前記キャビティー内であってＡ金型の内表面側に転写シートを配置する工程
かつ、宝石を配置する前記イの工程は、前記宝石の前記テーブル面が前記転写シートを介在してＡ金型の内表面に接触した状態に配置する工程であることを特徴とする樹脂成形品の製造方法。
【請求項４】
請求項３に記載した樹脂成形品の製造方法において、
前記転写シートは樹脂成形品にハードコート層を転写する転写シートであり、前記ロの工程において、ハードコート層が前記宝石と前記宝石の輪郭部分である樹脂成形品の表面に転写されることを特徴とする樹脂成形品の製造方法。
【発明の詳細な説明】
【技術分野】
【０００１】
本発明は宝石をインサートした樹脂成形品の製造方法に関する。当該樹脂成形品は携帯電話やパーソナルコンピューターなど電子機器の筐体として好適に用いられるものである。
【背景技術】
【０００２】
従来、携帯電話などに装飾を施すなどのために、裏面に粘着材を設けた基材の表面に宝石やストーンなどを固定したデコレーションシールが販売されている。このデコレーションシールを粘着材で携帯電話の表面に貼り付けて使用される。
【０００３】
また、指輪などの装身具において、凹部を設けた樹脂製基体の当該凹部に宝石を収容し、接着剤を充填し、宝石が接着剤層に埋め込まれているものもある（例えば、特許文献１参照。）。
【特許文献１】実登３０９０８４７号公報
【発明の開示】
【発明が解決しようとする課題】
【０００４】
従来のデコレーションシールは基材を物品に粘着材を用いて貼り付けにより固定して使用するものであり、シールが剥がれる危険性がある。宝石として例えば、天然宝石を使用するには、より剥がれにくい固定方法を採用することが好ましい。
【０００５】
従来の接着剤を充填して宝石を固定した装飾品は、その製造工程が他段階となる。すなわち、樹脂製基体を作成し、宝石を仮固定し、接着剤を充填し、固化する工程が必要となる。
【０００６】
そこで、本発明は樹脂成形品からの宝石の脱落に抵抗性があり、また、製造工程数が少ない樹脂成形品の製造方法を得ることを課題とする。
【０００７】
本発明のその他の課題は、本発明の説明により明らかになる。
【課題を解決するための手段】
【０００８】
本発明の一の態様にかかる樹脂成形品の製造方法は以下の工程からなる。
イ  Ａ金型の内表面とＢ金型の内表面により形成されるキャビティー内に宝石を配置する工程であって、前記宝石のテーブル面をＡ金型の内表面に接触した状態に配置する工程
ロ  Ａ金型とＢ金型を型締めし、前記キャビティー内に溶融樹脂を注入する工程
ハ  前記溶融樹脂が固化した後に、Ａ金型とＢ金型を型開きし、樹脂成形品を取り出す工程。
【０００９】
本発明の好ましい実施態様にかかる樹脂成形品の製造方法にあっては、Ａ金型は前記内表面に凹部を有し、前記凹部は前記宝石の高さの２０％以内である前記宝石の上部部分が嵌まり込む形状であり、
宝石を配置する前記イの工程は、前記宝石の上部部分を前記凹部に嵌合状態に配置する工程であるものであってもよい。
【００１０】
本発明の他の好ましい実施態様にかかる樹脂成形品の製造方法は、前記イの工程の前に、下記ニの工程が含まれるものであり、
ニ  前記キャビティー内であってＡ金型の内表面側に転写シートを配置する工程
かつ、宝石を配置する前記イの工程は、前記宝石の前記テーブル面が前記転写シートを介在してＡ金型の内表面に接触した状態に配置する工程であるものであってもよい。
【００１１】
本発明のその他の好ましい実施態様にかかる樹脂成形品の製造方法においては、
前記転写シートは樹脂成形品にハードコート層を転写する転写シートであり、前記ロの工程において、ハードコート層が前記宝石と前記宝石の輪郭部分である樹脂成形品の表面に転写されるものであってもよい。
【００１２】
以上説明した本発明、本発明の好ましい実施態様、これらに含まれる構成要素は可能な限り組み合わせて実施することができる。
【発明の効果】
【００１３】
本発明にかかる樹脂成形品の製造方法は、宝石を含んだ樹脂成形品を一体成形するものであり、製造工程数が少ない。ひいては製造費用を削減することができる。また、一体成形において溶融樹脂が固化する過程で収縮するので、宝石を締め付ける作用が働く。このため、本発明にかかる製造方法で作成した樹脂成形品は、宝石の脱落に抵抗性がある。
【発明を実施するための最良の形態】
【００１４】
以下、図面を参照して本発明の実施例にかかる樹脂成形品の製造方法をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００１５】
＜第一の実施例＞
図１は第一の実施例にかかる樹脂成形品の製造方法に用いる第一金型１を示す断面模式図であり、図２は第一の実施例にかかる樹脂成形品の製造方法により製造される第一樹脂成形品６の断面模式図である。第一樹脂成形品１の表面側を矢印６１で示し、裏面側を矢印６２で示している。樹脂成形品の表面側を示す矢印６１と裏面側を示す矢印６２は、図４、図６、図８についても同様である。
【００１６】
Ａ金型２１の内表面２２とＢ金型３１の内表面３２に囲まれてキャビティー３６が形成される。キャビティー３６内に宝石１０を配置する。宝石１０は、宝石１０のテーブル面１１をＡ金型２１の内表面２２に接触した状態で、配置する。
【００１７】
接触した状態に配置する理由は、製造される第一樹脂成形品６の表面に、宝石１０のテーブル面１１が成形樹脂５１に覆われることなく、そのまま露出するようにするためである。このようにして、宝石１０の本来の輝きなどを損なうことのない第一樹脂成形品６を製造することができる。従って、テーブル面１１と内表面２２の「接触状態」は溶融樹脂がテーブル面１１に回り込むことが無い接触状態に近い近接した状態をも含むものである。
【００１８】
宝石１０は底部をピン３３で支持され、テーブル面１１が内表面２２に接触状態に保たれる。ピン３３はＢ金型３１を貫通している。
【００１９】
図９（ａ）はラウンドブリリアントカット宝石１０ａの模式斜視図であり、図９（ｂ）はラウンドブリリアントカット宝石１０ａの模式断面図である。ラウンドブリリアントカット宝石１０ａの形状は、クラウン１２とパビリオン１３からなる。クラウン１２の上部平滑面がテーブル面１１である。
【００２０】
図１０（ａ）はエメラルドカット宝石１０ｂの模式斜視図であり、図１０（ｂ）はエメラルドカット宝石１０ｂの模式断面図である。エメラルドカット宝石１０ｂの形状は、クラウン１２とパビリオン１３からなる。クラウン１２の上部平滑面がテーブル面１１である。
【００２１】
宝石１０は溝１６を有することが好ましい。溝１６は成形樹脂とかみ合うことにより、宝石１０が第一樹脂成形品１から脱離することをより一層防止するものである。溝１６は、宝石本来の輝きを可能な限り損なわない観点からパビリオン１３の一部分に形成することが好ましい。また、脱離防止の効果を高める観点から、宝石１０の全周囲を取り巻くことが好ましく、同様の観点からテーブル面に平行に形成することが好ましい。ここで平行とはテーブル面と溝の長手方向線が交わる角度が０度から３０度である状態を含むものである。
【００２２】
溝１６と共に、あるいは溝無しで、宝石のパビリオン１３の一部分にかみ合い凹部を設けてもよい。一の宝石に複数のかみ合い凹部を形成してもよく、単一の宝石に単一のかみあい凹部を設けてもよい。
【００２３】
キャビティー３６内に、宝石１０は１個以上の任意の数を配置することができる。複数の宝石を配置する場所は、キャビティー３６内に均等に配置してもよく、偏在して配置してもよい。
【００２４】
宝石１０は、ダイヤモンド、エメラルドなど天然宝石であってもよく、人工（合成）宝石であってもよく、人造宝石や模造宝石であってもよく、ガラス、ストーンであってもよい。宝石１０のカット形状は上述したラウンドブリリアントカット、エメラルドカットを含む任意のカット形状であってもよい。
【００２５】
宝石の高さＤｅは樹脂成形品の厚さ以下にすることが好ましい。
【００２６】
本発明にかかる樹脂成形品の製造方法によって製造される樹脂成形品は、例えば、携帯電話、ＰＤＡやラップトップコンピュータなどの筐体として好適に用いられるものであり、これら筐体の厚さは０．８ｍｍから２．０ｍｍ程度である。このため、宝石１０の高さＤｅは０．８ｍｍから２．０ｍｍ程度であることが好ましい。
【００２７】
宝石１０をキャビティー３６内に配置する工程の次に、Ａ金型２１とＢ金型３１を型締めし、注入口３４から溶融樹脂をキャビティー内に注入する。
【００２８】
樹脂は、透明、半透明、不透明のいずれでもよい。また、上記樹脂は着色されていても、着色されていなくてもよい。樹脂としては、ポリスチレン系樹脂、ポリオレフィン系樹脂、ＡＢＳ樹脂、ＡＳ樹脂、ＡＮ樹脂などの汎用樹脂を挙げることができる。また、ポリフェニレンオキシド・ポリスチレン系樹脂、ポリカーボネート系樹脂、ポリアセタール系樹脂、アクリル系樹脂、ポリカーボネート変性ポリフェニレンエーテル樹脂、ポリブチレンテレフタレート樹脂、超高分子量ポリエチレン樹脂などの汎用エンジニアリング樹脂やポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を使用することもできる。さらに、ガラス繊維や無機フィラーなどの補強材を添加した複合樹脂も使用できる。
【００２９】
溶融樹脂が固化した後に、Ａ金型２１とＢ金型３１を型開きし、キャビティー内の第一樹脂成形品を取り出す。
【００３０】
図２を参照して、第一樹脂成形品６は表面側（矢印６１側）に宝石１０のテーブル面１１が露出している。このため、宝石の本来の輝きが損なわれない。また、宝石１０の裏面側に、ピン跡の穴５２がある。穴５２から、宝石１０に光を照射すれば、より一層趣味性を付加できる樹脂成形品となる。光照射手段は、例えばＬＥＤなどの光源を設ければよい。
【００３１】
＜第二の実施例＞
以下、第二、第三、第四の樹脂成形品の製造方法を説明する。これらの製造方法は、第一の樹脂成形品の製造方法と類似している。このため、主として相違点を説明する。また、これらの製造方法に用いる金型、製造される樹脂成形品は、第一金型、第一樹脂成形品と類似しており、図３〜図８において、図１または２と同一の部材や構成部分には同一の符号を付している。
【００３２】
図３は第二の実施例にかかる樹脂成形品の製造方法に用いる第二金型２を示す断面模式図であり、図４は第二の実施例にかかる樹脂成形品の製造方法により製造される第二樹脂成形品７の断面模式図である。
【００３３】
Ａ金型２１の内表面２２に凹部２３が形成されている。凹部２３の形状は、宝石１０の上部部分が嵌まり込む形状である。ここで、嵌り込む形状と大きさは溶融樹脂注入時に、宝石１０のテーブル面とテーブル面を取り巻く部分である凹部内に納められた部分の表面に、溶融成形樹脂が回り込むことがない形状及び大きさである。
【００３４】
凹部２３の深さは宝石の高さの２０％以内であり、より好ましくは宝石の高さの１０％から２０％の深さである。この範囲であると、宝石のクラウンの全てまたは主要な部分が突出状態となる（当該部分が樹脂に囲まれることがない）ので、より一層、宝石本来の輝きが損なわれなくなり、また、樹脂に埋もれる部分が十分に確保され、樹脂成形品からの宝石の脱離も避けられるからである。
【００３５】
図９（ｂ）と図１０（ｂ）を参照して、凹部２３の最大深さすなわち宝石１０の最大突出高さはｈ１で示すことができる。Ｄｅ×０．２＝ｈ１の関係が成立する。凹部２３の深さは例えば、ｈ２であってもよい。ｈ２は、０＜ｈ２＜ｈ１の関係を満足する。
【００３６】
宝石のカット形状は、クラウンにテーブル面を持つものであってもよく、テーブル面を持たないものであってもよい。テーブル面を持たないカット形状は、例えばクラウンが半球形状であるものを例示できる。
【００３７】
ここで、本発明にかかる樹脂成形品の製造方法により製造される樹脂成形品の好適な適用例である電子機器の筐体について考えると、筐体の厚さは０．８ｍｍから１．８ｍｍであるから、宝石が突出する最大の高さは、０．２ｍｍから０．４５ｍｍである。
【００３８】
第二の実施例にかかる樹脂成形品の製造方法によれば、宝石の上部が突出するので、樹脂成形品の厚みを宝石全体の高さではなく、宝石の下部部分を埋め込む厚みに充当することができる。よって、樹脂成形品の厚さが限定されていても、より一層高さのある、すなわち、いっそう大きな宝石をインサートすることができる特徴を有する。このため、携帯電話など電子機器の筐体として、より好適な樹脂成型品を製造することができる。
【００３９】
第二金型２において、キャビティー内での宝石の配置は、減圧を利用して行っている。すなわち、減圧ポンプ２６から減圧管２４が延設され、減圧管２４の開口部２５が凹部２３の一部分に開口している。宝石１０は大気圧との圧力差により凹部２３に押し付けられ、仮固定される。
【００４０】
宝石１０、溝１６、樹脂材料などは第一の実施例で説明したと同様である。第二金型２の型締め、溶融樹脂の注入なども第一の実施例と同様である。型開きの後に樹脂成型品を取り出す時は、減圧管２４内を大気圧に開放すればよい。
【００４１】
図４を参照して、第二樹脂成形品７は成形品の表面側（矢印６１側）に宝石１０のクラウン部分が突出している。このため、視覚、触覚ともに宝石の存在がより一層強調される。ひいては、宝石を含む樹脂成形品がより一層、装飾、立体感に富むものとなる。
【００４２】
＜第三の実施例＞
図５は第三の実施例にかかる樹脂成形品の製造方法に用いる第三金型３を示す断面模式図であり、図６は第三の実施例にかかる樹脂成形品の製造方法により製造される第三樹脂成形品８の断面模式図である。
【００４３】
第三金型３にあっては、キャビティー３６のＡ金型２１側に転写シート４１が配置される。転写シート４１は、供給ロール４２から送り出され、使用後の転写シートは巻き上げロール４３に巻き取られる。転写シート上には加飾部分４６が形成されている。加飾部分４６は着色インキにより形成されていてもよく、金属蒸着膜であってもよい。
【００４４】
宝石１０は、ピン３３により底面側から支持され、宝石１０のテーブル面１１は転写シート４１が介在してＡ金型の内表面２２に接触状態に配置されている。転写シート４１は、成形同時転写成形法に用いられる公知の転写シートであり、射出成形時の圧熱により、加飾部分４６が成形樹脂に転写される。
【００４５】
宝石１０、溝１６、樹脂材料などは第一の実施例で説明したと同様である。第三金型３の型締め、溶融樹脂の射出、型開きなども第一の実施例と同様である。第三の樹脂成形品の製造方法は、樹脂成形品への宝石インサートと加飾が同時に行われるので、より一層、工程を節約した樹脂成形品の製造方法となる。
【００４６】
図６を参照して、第三樹脂成形品８は、成形樹脂の表面側（矢印６１側）に転写された加飾部５６を有している。宝石１０と加飾部分５６が同時に視覚観察されることにより、より一層、趣味感に富む樹脂成形品となる。
【００４７】
＜第四の実施例＞
図７は第四の実施例にかかる樹脂成形品の製造方法に用いる第四金型４を示す断面模式図であり、図８は第四の実施例にかかる樹脂成形品の製造方法により製造される第四樹脂成形品９の断面模式図である。
【００４８】
第四金型４は第三金型３と類似しており、同一の構成部分には同一の符号を付している。第四の樹脂成形品の製造方法は第三の樹脂成形品の製造方法と類似している。ここでは、主として相違点を述べる。
【００４９】
転写シート４１は、未硬化または半硬化状態の電離放射線硬化型ハードコート層を備えた公知の転写シートである。ハードコート層は紫外線や電子線等で硬化する電離放射線硬化性樹脂を用いている。電離放射線硬化型ハードコート層としては、ウレタンアクリレート系樹脂、シアノアクリレート系樹脂などが使用できる。
【００５０】
宝石１０、溝１６、樹脂材料などは第三の実施例で説明したと同様である。第四金型４の型締め、溶融樹脂の注入、型開きなども第三の実施例と同様である。型開きして、樹脂成形品を取り出した後に、樹脂成形品に紫外線や電子線等の電離放射線を照射し、転写されたハードコート層を固化する。第四の樹脂成形品の製造方法は、樹脂成形品の宝石インサートとハードコート層の付加が同時に行われるので、より一層、工程を節約した樹脂成形品の製造方法となる。
【００５１】
図８を参照して、第四樹脂成形品９は、宝石１０のテーブル面を含む表面と樹脂成形品の表面がハードコート層５７で被覆されている。
【００５２】
宝石１０の露出面がハードコート層で被覆されているために、例えば、模造品（例えばガラス製）、比較的硬度に乏しい宝石（例えばヒスイ）であっても、傷の懸念なく採用できる。
【００５３】
また、樹脂成形品の表面が宝石表面を被覆しているハードコート層と一体であるハードコート層に被覆されているので、宝石との境界面での成形樹脂の剥離や欠落などが、より一層防止される。この観点から、ハードコート層は、宝石の露出面と当該露出面の輪郭部分を覆うことが好ましく、さらに、第四樹脂成形品９の表面側（矢印６１側）の全表面を覆うことがより好ましい。
【図面の簡単な説明】
【００５４】
【図１】第一の実施例にかかる樹脂成形品の製造方法に用いる第一金型１を示す断面模式図である。
【図２】第一樹脂成形品６の断面模式図である。
【図３】第二の実施例にかかる樹脂成形品の製造方法に用いる第二金型２を示す断面模式図である。
【図４】第二樹脂成形品７の断面模式図である。
【図５】第三の実施例にかかる樹脂成形品の製造方法に用いる第三金型３を示す断面模式図である。
【図６】第三樹脂成形品８の断面模式図である。
【図７】第四の実施例にかかる樹脂成形品の製造方法に用いる第四金型４を示す断面模式図である。
【図８】第四樹脂成形品９の断面模式図である。
【図９】（ａ）はラウンドブリリアントカット宝石１０ａの模式斜視図であり、（ｂ）はラウンドブリリアントカット宝石１０ａの模式断面図である。
【図１０】（ａ）はエメラルドカット宝石１０ｂの模式斜視図であり、（ｂ）はエメラルドカット宝石１０ｂの模式断面図である。
【符号の説明】
【００５５】
１０  宝石
１１  テーブル面
１６  溝
２１  Ａ金型
２２  内表面
２３  凹部
３１  Ｂ金型
３３  ピン
３４  注入口
３６  キャビティー
４１  転写シート
４５  転写シート
４６  加飾部分
４７  ハードコート層
５１  成形樹脂
【図１】
2010005967.tif 000003
【図２】
2010005967.tif 000004
【図３】
2010005967.tif 000005
【図４】
2010005967.tif 000006
【図５】
2010005967.tif 000007
【図６】
2010005967.tif 000008
【図７】
2010005967.tif 000009
【図８】
2010005967.tif 000010
【図９】
2010005967.tif 000011
【図１０】
2010005967.tif 000012